(57)【要約】【課題】  被切断材をスムーズに切断することができる、配線・配管材保護カバーの切断工具を提供する。【解決手段】  切断工具３は、工具本体４と、その工具本体４に回動可能に取り付けられた刃体６とを備える。工具本体４は、被切断材１００を支持する支持体５を有する。この支持体５は、内面支持部７を備えており、その内面支持部７は、被切断材１００の内面を支持するように、上方に向かって突設されている。そして、内面支持部７には、刃体６の、支持体５側への回動により、刃体６によって押圧された被切断材１００が内面支持部７の表面に沿って回るのを規制するよう、被切断材１００の被掛止片１０１を掛け止める掛止部５ａが設けられている。【選択図】  図４
2005312522.tif 000002
【特許請求の範囲】
【請求項１】
配線・配管材保護カバーを構成する、被切断材としての、ベース体またはカバー体を、所定の長さに切断する切断工具であって、
前記被切断材を支持する支持体を有する工具本体と、前記工具本体における前記支持体の側方を回動軸心としてその回動軸心回りに回動可能な刃体と、前記被切断材を切断すべく前記刃体を前記支持体側に回動させる回動手段とを備え、
前記支持体は、上方に向かって突設されて、前記被切断材の内面を支持するようにその被切断材が載置される、内面支持部を備え、かつ、
前記支持体には、前記刃体の、前記支持体側への回動により、前記刃体によって押圧された前記被切断材が前記内面支持部の表面に沿って回るのを規制するよう、前記被切断材に形成された被掛止片を掛け止める掛止部が設けられていることを特徴とする、配線・配管材保護カバーの切断工具。
【請求項２】
前記掛止部は、前記内面支持部における、前記刃体の回動軸心がある側に設けられていることを特徴とする請求項１に記載の、配線・配管材保護カバーの切断工具。
【請求項３】
前記支持体は、前記内面支持部と対向して、前記被切断材の一方の側部外面を支持する外面支持部を備え、
その外面支持部は、前記内面支持部との間隔が調整可能に形成されていることを特徴とする請求項２に記載の、配線・配管材保護カバーの切断工具。
【請求項４】
前記外面支持部は、前記内面支持部と対向位置する固定支持部と、その固定支持部に回動可能に取り付けられる補助支持部材とからなり、
前記補助支持部材が、前記内面支持部側を向く第１回動位置に位置することで、その補助支持部材と前記内面支持部との間に前記間隔となる第１間隔が形成され、
前記補助支持部材が、前記内面支持部側とは異なる側を向く第２回動位置に位置することで、前記固定支持部と前記内面支持部との間に前記間隔となる第２間隔が形成されることを特徴とする請求項３に記載の、配線・配管材保護カバーの切断工具。
【請求項５】
前記内面支持部には、前記被切断材に形成された凸条部が入るように、窪みが設けられていることを特徴とする請求項１ないし４のいずれか１項に記載の、配線・配管材保護カバーの切断工具。
【請求項６】
前記回動手段は、前記工具本体に備わる固定ハンドルと、前記工具本体に回動可能に取り付けられて、前記固定ハンドルに近接したり離間したりするように遥動操作される操作ハンドルと、その操作ハンドルの遥動操作により、前記刃体を前記支持体側に回動させるラチェット機構とからなることを特徴とする請求項１ないし５のいずれか１項に記載の、配線・配管材保護カバーの切断工具。
【請求項７】
前記被切断材は、前記ベース体と前記カバー体とからなり、それらベース体とカバー体とは、重ねられて、前記内面支持部に載置されることを特徴とする請求項１ないし６のいずれか１項に記載の、配線・配管材保護カバーの切断工具。
【請求項８】
配線・配管材保護カバーを構成する、被切断材としての、ベース体またはカバー体と、そのベース体またはカバー体を、所定の長さに切断する切断工具とからなる、切断システムであって、
前記被切断材には、被掛止片が形成されており、
前記切断工具は、前記被切断材を支持する支持体を有する工具本体と、前記工具本体における前記支持体の側方を回動軸心としてその回動軸心回りに回動可能な刃体と、前記被切断材を切断すべく前記刃体を前記支持体側に回動させる回動手段とを備え、
前記支持体は、上方に向かって突設されて、前記被切断材の内面を支持するようにその被切断材が載置される、内面支持部を備え、かつ、
前記支持体には、前記刃体の、前記支持体側への回動により、前記刃体によって押圧された前記被切断材が前記内面支持部の表面に沿って回るのを規制するよう、前記被切断材の前記被掛止片を掛け止める掛止部が設けられていることを特徴とする、切断システム。
【請求項９】
前記被掛止片は、前記ベース体または前記カバー体のいずれか一方に設けられ、その被掛止片は、前記ベース体または前記カバー体のいずれか他方に形成された被係合部と係合するための係合片からなることを特徴とする請求項８に記載の、切断システム。
【請求項１０】
前記被切断材は、前記ベース体と前記カバー体とからなり、それらベース体とカバー体とは、重ねられて、前記内面支持部に載置されることを特徴とする請求項８または９に記載の、切断システム。
【発明の詳細な説明】
【技術分野】
【０００１】
この発明は、モールとかダクト等の配線・配管材保護カバーを切断する切断工具、および切断システムに関するものである。
【背景技術】
【０００２】
従来から、被切断材としての保護カバー（モールとかダクト等）を切断する切断工具があった（例えば、特許文献１参照）。図７に示されるように、この切断工具５０は、工具本体５１と、刃体５２とから構成されていた。そして、工具本体５１は、保護カバー６０を支持するようにその保護カバー６０が載置される載置面５３を備えていた。また、工具本体５１には、固定ハンドル５４と操作バンドル５５とが設けられており、この操作ハンドル５５を固定ハンドル５４に対して遥動操作することで、刃体５２が、載置面５３側に回動した。なお、例示する保護カバー６０は、ベース体６１と、そのベース体６１に組み付けられるカバー体６２とから構成されており、保護カバー６０は、上下が反転されたベース体６１にカバー体６２が収容された状態で、載置面５３に載置されている。
【０００３】
【特許文献１】特許第２９４９５８３号公報
【発明の開示】
【発明が解決しようとする課題】
【０００４】
ところで、前記従来の切断工具５０にあっては、操作ハンドル５５を遥動操作して、刃体５２により、被切断材としての、ベース体６１とカバー体５２とを切断する過程で、特に、カバー体６２が、刃体５２から逃げるようにして、載置面５３に沿って回ってしまう虞があった。このように、カバー体６２が回ると、そのカバー体６２が変形してしまい、カバー体６２を上手く切断することが困難となった。
【０００５】
この発明は、上記した従来の欠点を解決するためになされたものであり、その目的とするところは、被切断材をスムーズに切断することができる、配線・配管材保護カバーの切断工具、および切断システムを提供することにある。
【課題を解決するための手段】
【０００６】
この発明に係る配線・配管材保護カバーの切断工具、および切断システムは、前記目的を達成するために、次の構成からなる。すなわち、
請求項１に記載の発明に係る配線・配管材保護カバーの切断工具は、配線・配管材保護カバーを構成する、被切断材としての、ベース体またはカバー体を、所定の長さに切断する切断工具である。この切断工具は、前記被切断材を支持する支持体を有する工具本体と、前記工具本体における前記支持体の側方を回動軸心としてその回動軸心回りに回動可能な刃体と、前記被切断材を切断すべく前記刃体を前記支持体側に回動させる回動手段とを備える。ここで、前記支持体は、上方に向かって突設されて、前記被切断材の内面を支持するようにその被切断材が載置される、内面支持部を備える。そして、前記支持体には、前記刃体の、前記支持体側への回動により、前記刃体によって押圧された前記被切断材が前記内面支持部の表面に沿って回るのを規制するよう、前記被切断材に形成された被掛止片を掛け止める掛止部が設けられている。
【０００７】
これにより、被切断材、すなわちベース体またはカバー体を所定の長さに切断するには、この被切断材を、支持体の内面支持部に載置する。そして、回動手段により、刃体を支持体側に回動させて、この被切断材を切断する。このとき、被切断材は、刃体によって押圧されて、その刃体から逃げるように内面支持部の表面に沿って回ろうとするが、被切断材に形成された被掛止片が、支持体に設けられた掛止部に掛け止められて、被切断材の回動が規制される。このように、被切断材の回動が規制されることで、その被切断材は、安定して支持される。
【０００８】
また、請求項２に記載の発明に係る配線・配管材保護カバーの切断工具のように、請求項１に記載の切断工具において、前記掛止部は、前記内面支持部における、前記刃体の回動軸心がある側に設けられてもよい。こうすることで、被切断材が、刃体によって押圧されて、刃体から逃げるように内面支持部の表面に沿って回ろうとすると、その被切断材における押圧部分から、掛止部に掛け止められる被掛止片までの間には、引張り応力が生ずる。このため、この間に、圧縮応力が生じたときのような座屈が発生することはない。
【０００９】
また、請求項３に記載の発明に係る配線・配管材保護カバーの切断工具のように、請求項２に記載の切断工具において、前記支持体は、前記内面支持部と対向して、前記被切断材の一方の側部外面を支持する外面支持部を備え、その外面支持部は、前記内面支持部との間隔が調整可能に形成されてもよい。このように、支持体が、被切断材の内面を支持する内面支持部の他に、被切断材の側部外面を支持するとともに内面支持部との間隔が調整可能な外面支持部を備えているため、この間隔を調整することで、種々のサイズの被切断材を、この支持体によって安定して支持することができる。
【００１０】
また、請求項４に記載の発明に係る配線・配管材保護カバーの切断工具のように、請求項３に記載の切断工具において、前記外面支持部は、前記内面支持部と対向位置する固定支持部と、その固定支持部に回動可能に取り付けられる補助支持部材とからなってもよい。ここで、前記補助支持部材が、前記内面支持部側を向く第１回動位置に位置することで、その補助支持部材と前記内面支持部との間に前記間隔となる第１間隔が形成される。そして、前記補助支持部材が、前記内面支持部側とは異なる側を向く第２回動位置に位置することで、前記固定支持部と前記内面支持部との間に前記間隔となる第２間隔が形成される。すなわち、固定支持部に対して補助支持部材を回動することで、外面支持部と内面支持部との間隔は、前記第１間隔と前記第２間隔とに調整される。
【００１１】
また、請求項５に記載の発明に係る配線・配管材保護カバーの切断工具のように、請求項１ないし４のいずれか１項に記載の切断工具において、前記内面支持部には、前記被切断材に形成された凸条部が入るように、窪みが設けられてもよい。このように、内面支持部に、窪みが設けられることで、被切断材に形成された凸条部が内面支持部によって潰されるのを防ぐことができる。
【００１２】
また、請求項６に記載の発明に係る配線・配管材保護カバーの切断工具のように、請求項１ないし５のいずれか１項に記載の切断工具において、前記回動手段は、前記工具本体に備わる固定ハンドルと、前記工具本体に回動可能に取り付けられて、前記固定ハンドルに近接したり離間したりするように遥動操作される操作ハンドルと、その操作ハンドルの遥動操作により、前記刃体を前記支持体側に回動させるラチェット機構とからなってもよい。
【００１３】
また、請求項７に記載の発明に係る配線・配管材保護カバーの切断工具のように、請求項１ないし６のいずれか１項に記載の切断工具において、前記被切断材は、前記ベース体と前記カバー体とからなり、それらベース体とカバー体とは、重ねられて、前記内面支持部に載置されてもよい。これにより、ベース体とカバー体とが同時に切断され、配線・配管材保護カバーを効率よく切断することができる。
【００１４】
また、請求項８に記載の発明に係る切断システムは、配線・配管材保護カバーを構成する、被切断材としての、ベース体またはカバー体と、そのベース体またはカバー体を、所定の長さに切断する切断工具とからなる。ここにおいて、前記被切断材には、被掛止片が形成されている。一方、前記切断工具は、前記被切断材を支持する支持体を有する工具本体と、前記工具本体における前記支持体の側方を回動軸心としてその回動軸心回りに回動可能な刃体と、前記被切断材を切断すべく前記刃体を前記支持体側に回動させる回動手段とを備える。ここで、前記支持体は、上方に向かって突設されて、前記被切断材の内面を支持するようにその被切断材が載置される、内面支持部を備える。そして、前記支持体には、前記刃体の、前記支持体側への回動により、前記刃体によって押圧された前記被切断材が前記内面支持部の表面に沿って回るのを規制するよう、前記被切断材の前記被掛止片を掛け止める掛止部が設けられている。
【００１５】
これにより、被切断材、すなわちベース体またはカバー体を所定の長さに切断するには、この被切断材を、支持体の内面支持部に載置する。そして、回動手段により、刃体を支持体側に回動させて、この被切断材を切断する。このとき、被切断材は、刃体によって押圧されて、その刃体から逃げるように内面支持部の表面に沿って回ろうとするが、被切断材に形成された被掛止片が、支持体に設けられた掛止部に掛け止められて、被切断材の回動が規制される。このように、被切断材の回動が規制されることで、その被切断材は、安定して支持される。
【００１６】
また、請求項９に記載の発明に係る切断システムのように、請求項８に記載の切断システムにおいて、前記被掛止片は、前記ベース体または前記カバー体のいずれか一方に設けられ、その被掛止片は、前記ベース体または前記カバー体のいずれか他方に形成された被係合部と係合するための係合片からなってもよい。こうして、この係合片が、掛止部に掛け止められる被掛止片として利用される。
【００１７】
また、請求項１０に記載の発明に係る切断システムのように、請求項８または９に記載の切断システムにおいて、前記被切断材は、前記ベース体と前記カバー体とからなり、それらベース体とカバー体とは、重ねられて、前記内面支持部に載置されてもよい。これにより、ベース体とカバー体とが同時に切断され、配線・配管材保護カバーを効率よく切断することができる。
【発明の効果】
【００１８】
この発明に係る配線・配管材保護カバーの切断工具、および切断システムによれば、支持体に、被切断材の被掛止片を掛け止める掛止部を設けることで、被切断材を安定して支持することができ、その被切断材をスムーズに切断することができる。
【発明を実施するための最良の形態】
【００１９】
以下、この発明に係る配線・配管材保護カバーの切断工具、および切断システムを実施するための最良の形態を図面に基づいて説明する。
【００２０】
図１ないし図６は、本発明に係る配線・配管材保護カバーの切断工具、および切断システムの一実施の形態を示す。図中符号１は、配線・配管材保護カバー（信号線や電力線等の配線材を収容保護、あるいは、通水管やエアコン用の冷媒管等の配管材を収容保護する、モール・ダクト類）を構成するベース体である。２は、同じく配線・配管材保護カバーを構成するカバー体である。３は、被切断材１００としての、前記ベース体１またはカバー体２を、所定の長さに切断する切断工具である。３０は、切断システムの全体を示し、前記被切断材１００と前記切断工具３とからなる。
【００２１】
この切断工具３は、被切断材１００を支持する支持体５を有する工具本体４と、工具本体４における支持体５の側方を回動軸心２００としてその回動軸心２００回りに回動可能な刃体６と、被切断材１００を切断すべく刃体６を支持体５側に回動させる回動手段３００とを備えている。
【００２２】
ここで、支持体５は、内面支持部７を備えている。この内面支持部７は、上方に向かって突設されて、被切断材１００の内面を支持するように、被切断材１００が、この内面支持部７に載置される。また、支持体５は、内面支持部７と対向して、被切断材１００の一方の側部外面を支持する外面支持部８を備えている。さらに、支持体５は、内面支持部７と対向して、被切断材１００の他方の側部外面を支持する、他の外面支持部９を備えている。
【００２３】
そして、前記外面支持部８は、前記内面支持部７との間隔が調整可能に形成されている。詳細には、外面支持部８は、内面支持部７と対向位置する固定支持部８ａと、その固定支持部８ａに回動可能に取り付けられる補助支持部材８ｂとからなる。ここにおいて、図１において実線で示すように、補助支持部材８ｂが、内面支持部７側を向く第１回動位置に位置することで、その補助支持部材８ｂと内面支持部７との間に、前記間隔となる第１間隔４０１が形成される。そして、図１において二点鎖線で示すように、補助支持部材８ｂが、内面支持部７側とは異なる側（図示実施の形態においては、上方側）を向く第２回動位置に位置することで、固定支持部８ａと内面支持部７との間に前記間隔となる第２間隔４０２が形成される。すなわち、固定支持部８ａに対して補助支持部材８ｂを回動することで、外面支持部８と内面支持部７との間隔は、前記第１間隔４０１と前記第２間隔４０２とに調整される。
【００２４】
また、この支持体５には、刃体６の、支持体５側への回動により、刃体６によって押圧された被切断材１００が内面支持部７の表面に沿って回るのを規制するように、被切断材１００（詳細には、カバー体２）に形成された被掛止片１０１を掛け止める掛止部５ａが設けられている。ここで、被掛止片１０１は、ベース体１またはカバー体２のいずれか一方に設けられる。そして、この被掛止片１０１は、ベース体１またはカバー体２のいずれか他方に形成された被係合部５０１と係合するための係合片からなる。すなわち、この係合片が、掛止部５ａに掛け止められる被掛止片１０１として利用される。図示実施の形態においては、被掛止片１０１は、カバー体２に（詳細には、カバー体２の下端に）形成され、そして、被係合部５０１は、ベース体１に形成されている。また、掛止部５ａは、内面支持部７における、刃体６の回動軸心２００がある側に設けられている。
【００２５】
さらに、内面支持部７には、被切断材１００（詳細には、カバー体２）に形成された凸条部１０２が入るように、窪み７ａが設けられている。図示実施の形態においては、この窪み７ａは、内面支持部７における、刃体６の回動軸心２００がある側の側面７ｂと上面７ｃとが繋がるコーナー部分に設けられている。
【００２６】
また、前記回動手段３００は、工具本体４に備わる固定ハンドル４ａと、工具本体４に回動可能に取り付けられて、固定ハンドル４ａに近接したり離間したりするように遥動操作される操作ハンドル１０と、その操作ハンドル１０の遥動操作により、刃体６を支持体５側に回動させるラチェット機構３１０とからなる。ここにおいて、固定ハンドル４ａおよび操作ハンドル１０は、刃体６の回動軸心２００を基準に、支持体５側とは反対側に延出するようにして設けられている。
【００２７】
具体的には、工具本体４は、本体１１と、前記支持体５と、前記操作ハンドル１０を軸支するためのハンドル支持材１２とから構成されている。ここで、本体１１は、その中央下部から、支持体５側に突出する顎部１１ａと、上部から支持体５側とは反対側に突出する前記固定ハンドル４ａを備えている。この本体１１には、刃体６の基端部分が収容される第１のスリット１１ｂが形成されている。そして、本体１１には、第１のスリット１１ｂを横切るようにして、刃体６の回動軸心２００を形成するための、軸部材１３が取り付けられる。なお、刃体６は、スプリング１４により、支持体５から離れた上方を向くように弾性付勢される。
【００２８】
支持体５は、取付ネジ１５、１５を用いることで、本体１１（詳細には顎部１１ａ）に着脱可能に取付固定される。この支持体５は、基部５ｂを備え、その基部５ｂから、前記内面支持部７、前記外面支持部８（詳細には、固定支持部８ａ）、および前記他の外面支持部９が、上方に向かって突出して形成されている。こうして、外面支持部８と内面支持部７との間が、被切断材１００の一方の側部が挿入される第１の挿入溝５ｃとなり、他の外面支持部９と内面支持部７との間が、被切断材１００の他方の側部が挿入される第２の挿入溝５ｄとなっている。そして、これら挿入溝５ｃ、５ｄは、高さの異なる各種の被切断材１００に対応できるような、深さを有している。言い換えれば、内面支持部７は、高さの異なる各種の被切断材１００に対応できるような、高さを有している。また、この支持体５には、刃体６が通るように、内面支持部７、外面支持部８、他の外面支持部９、そして基部５ｂの上端部分に渡って、かつ、前記本体１１の第１のスリット１１ｂに連通して、第２のスリット５ｅが設けられている。そして、外面支持部８においては、固定支持部８ａに、前記補助支持部材８ｂが、軸部材としてのボルト１６を用いて、そのボルト１６の軸心回りに回動可能に取り付けられる。
【００２９】
ハンドル支持材１２は、本体１１（詳細には、本体１１の中央下部）に、ピン１７、１７を用いて固定される。そして、このハンドル支持材１２に、前記操作ハンドル１０が、ピン１８を用いることで、そのピン１８の軸心回りに回動可能に取り付けられる。ここで、操作ハンドル１０は、スプリング１９により、固定ハンドル４ａから離間するように弾性付勢される。
【００３０】
また、ラチェット機構３１０は、刃体６の基端部側の端面に形成された爪車部６ａと、その爪車部６ａを送る爪部材２０と、爪車部６ａの戻りを止める戻り止め部材２１とから構成されている。そして、図示実施の形態においては、ラチェット機構３１０は、爪車部６ａの戻りを補助的に止める補助戻り止め部材２２を備えている。ここで、爪部材２０は、操作ハンドル１０に、ピン２３を用いることで、そのピン２３の軸心回りに回動可能に取り付けられ、かつ、前記スプリング１９により、爪車部６ａ側に弾性付勢される。戻り止め部材２１および補助戻り止め部材２２は、固定ハンドル４ａに、ピン２５を用いることで、そのピン２５の軸心回りに回動可能に取り付けられ、かつ、スプリング２６により、爪車部６ａ側に弾性付勢される。
【００３１】
次に、以上の構成からなる切断工具３および切断システム３０の作用効果について説明する。この切断工具３を用いて、被切断材１００、すなわちベース体１またはカバー体２を所定の長さに切断するには、始めに、被切断材１００を、支持体５の内面支持部７に載置する（図３参照）。ここにおいて、補助支持部材８ｂは、内面支持部７側を向く第１回動位置に位置している。また、被切断材１００は、ベース体１とカバー体２とからなる。それらベース体１とカバー体２とは、互いに組み付けられて保護カバーを形成するものであり、この組み付けにあたって、前記被掛止片１０１となる係合片が、被係合部５０１と係合する。そして、図示実施の形態においては、ベース体１とカバー体２との両方を同時に切断するために、それらベース体１とカバー体２とは、重ねられて（詳細には、上下が反転されたベース体１に、カバー体２が収容された状態で）、内面支持部７に載置される。
【００３２】
そこで、図４および図５に示すように、回動手段３００により、すなわち、操作ハンドル１０を遥動操作することで、刃体６を支持体５側に回動させて、これらベース体１およびカバー体２を切断する。このとき、カバー体２は、刃体６によって押圧されて、その刃体６から逃げるように内面支持部７の表面に沿って回ろうとするが、カバー体２に形成された被掛止片１０１が、支持体５に設けられた掛止部５ａに掛け止められて、カバー体２の回動が規制される。このように、カバー体２の回動が規制されることで、そのカバー体２は、安定して支持され、そのカバー体２をスムーズに切断することができる。
【００３３】
しかも、掛止部５ａが、内面支持部７における、刃体６の回動軸心２００がある側に設けられているため、カバー体２が、刃体６によって押圧されて、刃体６から逃げるように内面支持部７の表面に沿って回ろうとすると、そのカバー体２における押圧部分から、掛止部５ａに掛け止められる被掛止片１０１までの間には、引張り応力が生ずる。このため、この間に、圧縮応力が生じたときのような座屈が発生することはなく、カバー体２の変形が抑制される。さらに、内面支持部７に、窪み７ａが設けられることで、カバー体２に形成された凸条部１０２が内面支持部７によって潰されるのを防ぐことができる。
【００３４】
そして、ベース体１とカバー体２とが、重ねられて、内面支持部７に載置されることから、ベース体１とカバー体２とが同時に切断され、配線・配管材保護カバーを効率よく切断することができる。
【００３５】
また、支持体５が、被切断材１００の内面を支持する内面支持部７の他に、被切断材１００の側部外面を支持するとともに内面支持部７との間隔が調整可能な外面支持部８を備えているため、この間隔を調整することで、種々のサイズの被切断材１００を、この支持体５によって安定して支持することができる。すなわち、この切断工具３は、補助支持部材８ｂが第１回動位置に位置することで、相対的に小さなサイズの被切断材１００に対応することができ（図３ないし図５参照）、補助支持部材８ｂが第２回動位置に位置することで、相対的に大きなサイズの被切断材１００に対応することができる（図６参照）。
【００３６】
なお、本発明は、上述した実施の形態に限定されるわけではなく、その他種々の変更が可能である。例えば、切断工具３を用いて配線・配管材保護カバーを切断するにあたって、ベース体１とカバー体２とを重ねることで、同時に切断しなくとも、ベース体１とカバー体２とを別々に切断してもよい。そして、図示実施の形態においては、被掛止片１０１は、カバー体２に備わっているが、ベース体１に備わる場合には、そのベース体１に備わる被掛止片１０１を掛け止めるように、切断工具３の掛止部５ａを形成してもよい。また、保護カバーは、ベース体１とカバー体２とから構成されるものでなくとも、カバー体のみからなるものであってもよい。
【００３７】
また、掛止部５ａは、内面支持部７における、刃体６の回動軸心２００がある側に設けられているが、被掛止片１０１の位置に応じて、内面支持部７のその他の部位、あるいは、外面支持部８、９に設けられてもよい。
【００３８】
また、外面支持部８は、固定支持部８ａと補助支持部材８ｂとで構成されることで、内面支持部７との間隔が調整されるが、例えば、外面支持部８が、基部５ｂあるいは本体１１に対してスライドすることで、内面支持部７との間隔が調整されてもよい。もっとも、この調整機構は、必要なければ、無くともよい。
【００３９】
また、回動手段３００は、ラチェット機構３１０を備えているが、他の倍力機構を備えるものであってもよく、また、それらの機構を備えることなく、単に、操作ハンドル１０が、刃体６に直接連結されるものであってもよい。
【図面の簡単な説明】
【００４０】
【図１】この発明の一実施の形態の、切断工具の正面図である。
【図２】同じく、切断工具の分解斜視図である
【図３】同じく、被切断材を切断する過程を示す、第一の正面図である。
【図４】同じく、被切断材を切断する過程を示す、第二の正面図である。
【図５】同じく、被切断材を切断する過程を示す、第三の正面図である。
【図６】同じく、補助支持部材が第２回動位置に位置する、図４相当図である。
【図７】従来の切断工具を示す正面図である。
【符号の説明】
【００４１】
１  ベース体
２  カバー体
３  切断工具
４  工具本体
４ａ  固定ハンドル
５  支持体
５ａ  掛止部
６  刃体
７  内面支持部
７ａ  窪み
８  外面支持部
８ａ  固定支持部
８ｂ  補助支持部材
１０  操作ハンドル
３０  切断システム
１００  被切断材
１０１  被掛止片
１０２  凸条部
２００  回動軸心
３００  回動手段
３１０  ラチェット機構
４０１  第１間隔
４０２  第２間隔
５０１  被係合部
【図１】
2005312522.tif 000003
【図２】
2005312522.tif 000004
【図３】
2005312522.tif 000005
【図４】
2005312522.tif 000006
【図５】
2005312522.tif 000007
【図６】
2005312522.tif 000008
【図７】
2005312522.tif 000009